(57)【特許請求の範囲】
【請求項１】
位置を特定可能な識別子であって、読取装置により読取可能な識別子が、対応する位置に夫々付された原反から、所定の商品の包装の機能を発揮するために所定形状に裁断された媒体であって、
前記所定の商品には、それを一意に特定するための特定情報が対応付けられており、
前記媒体の所定位置が、前記所定の商品及び前記媒体の正当性を認証する認証位置として特定されており、
前記所定位置を特定可能な前記識別子の少なくとも一部が、前記所定の商品に対応付けられた前記特定情報として設定されている、
識別子を含む媒体。
【請求項２】
前記認証位置を含む所定範囲には、前記識別子を覆うように所定の印刷が施されている
請求項１に記載の識別子を含む媒体。
【請求項３】
前記認証位置の候補としての前記所定位置は複数個所存在しており、
複数の前記候補のうち、前記認証位置を決定するための規則が、前記媒体の識別子と対応付けられて設定されている、
請求項１又は２に記載の識別子を含む媒体。
【発明の詳細な説明】
【技術分野】
【０００１】
本発明は、識別子を含む媒体に関する。
【背景技術】
【０００２】
従来より、薬品等の商品の包装として、紙箱が用いられている。このような紙箱は、原反から製作され、シリアルコード又はシリアル番号が付される（例えば特許文献１参照）。
【先行技術文献】
【特許文献】
【０００３】
【特許文献１】特表２００８−５０１２０１号公報
【発明の概要】
【発明が解決しようとする課題】
【０００４】
しかしながら、従来では、出荷時等に、商品の包装の製作工程とは独立した工程としてシリアルコード又はシリアル番号が付されて、当該シリアルコード又はシリアル番号が包装等に後付されていた（シールで貼られたり印字されていた）。このため、シリアルコード又はシリアル番号さえ入手できれば、商品の贋品やその包装に容易に印字することが容易に可能であり、シリアルコード又はシリアル番号は正当だか商品は贋品という不正の横行を効果的に防止できなかった。
また、包装の源になる原反の一部が盗難され、商品の贋品の包装に使われるという被害も従来多数存在していたが、このような被害に対して有効な対策が存在しない状態であった。
このような不正や盗難等は、商品の包装のみならず、原反から製作される媒体一般に対して発生していた。
【０００５】
本発明は、このような状況に鑑みてなされたものであり、原反から製作される媒体に対して発生する不正や盗難等を効果的に抑制することを目的とする。
【課題を解決するための手段】
【０００６】
本発明の一側面の媒体は、
位置を特定可能な識別子であって、読取装置により読取可能な識別子が、対応する位置に夫々付された原反から、所定形状に裁断された媒体であって、
前記媒体の所定位置が、当該媒体を認識する認証位置として特定されており、
前記所定位置を特定可能な前記識別子の少なくとも一部が、当該媒体の識別子として設定されている、
識別子を含む媒体である。
【０００７】
前記認証位置を含む所定範囲には、前記識別子を覆うように所定の印刷が施されている
ようにすることができる。
【０００８】
前記認証位置の候補としての前記所定位置は複数個所存在しており、
複数の前記候補のうち、前記認証位置を決定するための規則が、前記媒体の識別子と対応付けられて設定されている、
ようにすることができる。
【発明の効果】
【０００９】
本発明によれば、原反から製作される媒体に対して発生する不正や盗難等を効果的に抑制することができる。
【図面の簡単な説明】
【００１０】
【図１】本発明が適用される媒体の素になる原反の外観構成の一例を示す図である。
【図２】本実施形態の識別子の方式を説明する模式図である。
【図３】本発明が適用される媒体の裁断前の状態を示す図である。
【図４】本発明が適用される媒体の裁断後の状態を示す図である。
【図５】図４の媒体により形成される箱の外観構成の一例を示す図である。
【図６】図５の箱の認証位置による認証の概要を説明する図である。
【発明を実施するための形態】
【００１１】
以下、本発明の実施形態について、図面を参照して説明する。
【００１２】
図１は、本発明が適用される媒体の素になる原反１の外観構成の一例を示している。
原反１は、シート状の媒体１１がロール状に巻かれて構成される。
ここで、媒体１１の材質は、特に限定されず、紙や金属（アルミや銅）等任意のものを採用できる。
【００１３】
媒体１１の表面全体には、識別子２１が万遍なく付されている。具体的には、識別子２１は、位置を特定可能な識別子であって、読取装置（図１には図示せぬ）により読取可能な識別子である。このような識別子２１が、媒体１１の対応する位置（識別子２１により特定される媒体１１の位置）に夫々付されている。
即ち、媒体１１の所定位置に付された識別子２１が読取装置により読み取られ、当該識別子２１により特定される位置が、当該所定位置となる。
換言すると、識別子２１は、本段落の上記機能を有するものであれば足り、その種類や方式は特に限定されない。
【００１４】
図２は、本実施形態の識別子２１の方式を説明する模式図である。
図２に示すように、本実施形態では、識別子２１は、ドットパターン（コード化パターン）から構成される。
所定のドットパターンは、所定個数のドットを含む所定形状の領域（本例では図２に示す正方形の領域）が１単位とされ、当該１単位毎に、一意の識別子２１が対応付けられている。この一意の識別子２１には、当該１単位（正方形の領域）の媒体１１上の配置位置を特定可能な情報が含まれている。
【００１５】
読取装置の少なくとも一部を構成するペン５１は、ペン先部に、文字等を書くための通常のインクカートリッジに加えて、媒体１１に付されたドットパターンを撮像するための小型カメラを備えている。
ペン５１は、撮像したドットパターンから各単位に対応付けられた各識別子２１を抽出するプロセッサを備えている。
ペン５１はまた、抽出された各識別子２１を外部機器（例えば後述の真贋判定装置１０１）へ送信するデータ通信ユニットを搭載している。
【００１６】
つまり、媒体１１の所定単位のドットパターンがペン５１により読み取られると、ペン５１により、当該所定単位に対応付けられた識別子２１が抽出されて外部機器へ送信される。
当該識別子２１からは、当該所定単位の媒体１１上の配置位置が特定可能である。従って、当該所定単位を含む一領域が、媒体１１（原反１）から裁断されて分離されたとしても、当該媒体１１（原反１）上のオリジナルの配置位置が特定可能になる。
【００１７】
図３は、本発明が適用される媒体の裁断前の状態を示す図であり、図４は、本発明が適用される媒体の裁断後の状態を示す図である。
本実施形態では、図３に示すように、媒体１１（原反１）のうち、所定形状（箱の展開図の形状）の一部分１１ａが裁断されることで、図４に示すように媒体７１が生成される。
このように、原反１を形成する媒体１１と、当該媒体１１の所定形状の一部分１１ａが裁断された媒体７１（媒体１１から分離された媒体７１）とは異なるものである。
つまり、媒体７１とは、所定機能を発揮するために、所定形状を有して媒体１１（原反１）から分離されたものであって、当該所定機能を発揮するために適宜加工や変形がなされるものをいう。
本実施形態では、媒体７１は、所定の商品（薬等）の包装の機能を発揮するために、箱（包装）の展開図の形状で、原反１から裁断されて分離されたものである。つまり、媒体７１は、組み立てられることによって、図５に示すような箱（包装）を構成し、商品９１を封入することでその包装として機能する。
【００１８】
ここで、従来から、商品９１又はその包装に対しては、一意のシリアルコード又はシリアル番号が付されていた。
しかしながら、従来では、出荷時等に、商品９１やその包装の製作工程とは独立した工程としてシリアルコード又はシリアル番号が付されて、当該シリアルコード又はシリアル番号が商品９１やその包装等に後付されていた（シールで貼られたり印字されていた）。このため、シリアルコード又はシリアル番号さえ入手できれば、商品９１の贋品やその包装に容易に印字することが容易に可能であり、シリアルコード又はシリアル番号は正当だが商品９１は贋品という不正の横行を効果的に防止できなかった。
また、包装の源になる原反の一部が盗難され、商品９１の贋品の包装に使われるという被害も従来多数存在していたが、このような被害に対して有効な対策が存在しない状態であった。
【００１９】
そこで、このような問題を解決すべく本実施形態では、図３に示すように、原反１の媒体１１のうち、媒体７１となる部分１１ａの任意の位置８１が、シリアルコード又はシリアル番号による認証をする位置（以下、「認証位置」と呼ぶ）として設定される。
認証位置８１には、上述したようにユニークなドットパターンとしての識別子２１が付されている。この識別子２１自体又はその一部のコードを、シリアルコード又はシリアル番号として採用することができる。
【００２０】
図６は、認証位置８１による認証の概要を説明する図である。
図６に示すように、商品９１の包装として機能する媒体７１のうち認証位置８１に対して、ペン５１のペン先が近づけられると、当該ペン５１（読取装置）により識別子２１が読み取られて、真贋判定装置１０１に送信される。
真贋判定装置１０１は、当該識別子２１から、原反１の媒体１１における認証位置８１の位置座標と、シリアルコード又はシリアル番号とを特定することができるので、商品９１及びその包装（媒体７１）の正当性を認証すること、即ち真贋判定をすることができる。
【００２１】
このように本実施形態では、商品９１の包装の製作工程内にシリアルコード又はシリアル番号付与の工程が実質含まれており、当該シリアルコード又はシリアル番号は、包装（媒体７１）自体に一意に付されたドットパターン（識別子２１）からでないと特定できない。つまり、媒体７１以外を包装として用いた場合には、媒体７１に付されたドットパターンを再現しない限り、同一のシリアルコード又はシリアル番号を付すことは不可能である。
仮に、原反１の一部が盗難され、商品９１の贋品の包装に使われたとしても、媒体７１に付されたものとは異なるドットパターン（識別子２１）が使われているので、同一のシリアルコード又はシリアル番号を再現することは不可能である。
このようにして、シリアルコード又はシリアル番号は正当だか商品９１は贋品という不正の横行を効果的に防止できるようになる。
さらにいえば、商品９１の贋品の包装にも、別のドットパターン（識別子２１）が付されている。従って、読取装置（ペン５１等）により当該別のドットパターン（識別子２１）が読み取られることによって、原反１の媒体１１の何れの部分が盗難されたのかを特定することも可能になる。
このようにして、包装の源になる原反１の一部が盗難され、商品９１の贋品の包装に使われるという被害に対して有効な対策を提供することもできる。
【００２２】
また、例えば仮に消費者から商品に対するクレームがあった場合、当該商品の包装（媒体７１）を取り寄せて、それに付されたドットバターン（識別子２１）を読取装置（ペン５１等）に読み取らせることによって、原反１の媒体１１の何れの部分から制作された包装（箱）なのか、そして、当該包装（箱）に封入された商品（薬品）の追跡（どのような工場でどのように作られどのように出荷されたのか等の追跡）も容易に可能になる。
このようにして、商品の品質管理が容易に可能になる。さらに、本実施形態では媒体７１は、商品の包装として機能したが、後述するように、ラベル、所定の物体を固着させるテープ（両面テープや金属テープ等）、金券類としても機能する。この場合、所定の物体を固着させるテープや金券類自体の品質管理も容易に可能になる。
【００２３】
なお、本発明は、上述の実施形態に限定されるものではなく、本発明の目的を達成できる範囲での変形、改良等は本発明に含まれるものである。
【００２４】
換言すると、本発明が適用される媒体は、次のような構成を取れば足り、その実施形態は特に限定されない。
即ち、本発明が適用される媒体は、
位置を特定可能な識別子であって、読取装置により読取可能な識別子が、対応する位置に夫々付された原反から、所定形状に裁断された媒体であって、
前記媒体の所定位置が、当該媒体を認識する認証位置として特定されており、
前記所定位置を特定可能な前記識別子の少なくとも一部が、当該媒体の識別子（例えばシリアルコード又はシリアル番号）として設定されている、
媒体であれば足りる。
【００２５】
ここで、位置とは、ｎ次元（ｎは１以上の任意の整数値）の位置をいう。即ち、上述の実施形態では、ｎ＝２とされて、媒体１１の表面の２次元座標が位置として採用されていた。しかしながら、ｎ＝２に特に限定されず、ｎ＝１として、原反１の任意の点からの長さを、位置として採用することもできる。
なお、ｎ＝１を採用した場合には、識別子２１は、媒体１１の表面全体に万遍なく付されている必要は特に無く、長さ方向（媒体１１の長辺方向）に連続して付されていればよい。
【００２６】
識別子も、上述した実施形態ではドットパターンが採用されたが、特にこれに限定されず、位置を特定可能であり、識別子を設定可能であり、かつ、媒体に付すことが可能なものであれば、方式等任意なものを採用することができる。
【００２７】
本発明が適用される媒体も、上述の実施形態では、商品９１の包装として機能する紙の媒体７１が採用されたが、特にこれに限定されず、識別子の付与が必要なものであれば足り、任意の機能を発揮する任意の素材の媒体を採用することができる。
具体的には例えば、材質としては、紙以外でも、金属（例えばアルミニウムや銅）やプラスチック等裁断が可能であれば任意のものを採用することができる。
また例えば、媒体が発揮する機能としては、上述の実施形態の包装以外にも、ラベル、所定の物体を固着させるテープ（両面テープや金属テープ等）、金券類、等任意の機能を採用することができる。
【００２８】
ここで、媒体における認証位置は、上記実施形態では、第三者にも特定可能な認証位置８１が採用された。この場合、認証位置８１に付された識別子２１（ドットパターン）が第三者により再現されると、識別子の再現が可能になるおそれもある。
従って、認証位置の存在を可能な限り第三者に認識されないようにすることは、セキュリティの観点で重要なことである。
【００２９】
そこで、前記認証位置を含む所定範囲には、前記識別子を覆うように所定の印刷が施されている媒体を採用してもよい。
これにより、認証位置の識別子の上には所定の印刷（商品の説明やロゴ等）が施されているので、第三者は、認証位置を視覚で特定することが困難になる。その結果、セキュリティレベルがより一段と向上する。
【００３０】
或いはまた、
前記認証位置候補としての前記所定位置は複数個所存在しており、
複数の前記候補のうち、前記認証位置を決定するための規則が、前記媒体の識別子と対応付けられて設定されている、
ようにしてもよい。
これにより、読取装置により読み取られる認証位置の候補の中で、何れの候補が認証位置となるのかについては、規則を知らない第三者にとって特定することが困難である。その結果、セキュリティレベルがより一段と向上する。
【符号の説明】
【００３１】
１・・・原反
１１・・・媒体
７１・・・媒体
８１・・・認証位置
９１・・・商品
２１・・・識別子
５１・・・ペン
１０１・・・真贋判定装置
【図１】
0006484127.tif 000002
【図２】
0006484127.tif 000003
【図３】
0006484127.tif 000004
【図４】
0006484127.tif 000005
【図５】
0006484127.tif 000006
【図６】
0006484127.tif 000007